(57)【特許請求の範囲】
【請求項１】
トップリンク及びロワーリンクを介して植付部を走行車に装設させると共に、ネジ軸及びナット部材をトップリンクに組込んで伸縮自在に形成する田植機において、前記トップリンクを形成するリンク部材に前記ナット部材をインロー嵌合させて着脱可能に固定させたことを特徴とする田植機。
【請求項２】
トップリンク後部をヒッチの左右外側に連結させたことを特徴とする請求項１に記載の田植機。
【発明の詳細な説明】
【０００１】
【発明の属する技術分野】
本発明は例えば苗載台及び植付爪を備えて連続的に苗植作業を行う田植機に関する。
【０００２】
【発明が解決しようとする課題】
従来、トップリンク及びロワーリンクを介して植付部を走行車に装設させると共に、ネジ軸及びナット部材をトップリンクに組込んで伸縮自在に形成し、前記ネジ軸の螺出入によってトップリンクを伸縮させて植付部の前後方向傾斜角度を変更させ、フロートの植深検出精度の向上または植付爪の苗植付け姿勢の適正化などを図る技術がある。しかし乍ら、前記従来技術は、トップリンクを形成するリンク部材にナット部材を溶接固定させていたから、前記ナット部材を高精度で固定し得ず、ナット部材に螺着させるネジ軸の回転負荷を容易に低減し得ず、ネジ軸を回転させるのに出力の大きなモータを大電流で駆動する必要があると共に、ナット部材を残した状態でネジ軸側を脱着させて分解組立を行う必要があり、しかも前記トップリンク後部のヒッチ連結部を曲げ加工により左右幅を縮少させて形成することにより、トップリンクの強度が曲げ加工によって低下し易く、大型植付部の支持に必要なトップリンク強度を容易に確保し得ず、トップリンク構造の小型軽量化並びに製造コストの低減などを容易に図り得ない等の問題がある。
【０００３】
【課題を解決するための手段】
請求項１に係る発明は、トップリンク及びロワーリンクを介して植付部を走行車に装設させると共に、ネジ軸及びナット部材をトップリンクに組込んで伸縮自在に形成する田植機において、前記トップリンクを形成するリンク部材に前記ナット部材をインロー嵌合させて着脱可能に固定させたもので、インロー嵌合によってナット部材をリンク部材に高精度で固定し得、前記ネジ軸の回転操作力を容易に低減し得、前記ネジ軸を回転させるモータの小型化並びにモータ駆動電流低減などを容易に行い得ると共に、リンク部材に対しナット部材を脱着させることによってネジ軸にナット部材を螺着させた状態で脱着作業を行い得、前記ネジ軸及びナット部材を同一ユニットとして組立分解などを行えて取扱い操作性の向上などを容易に図り得、またトップリンク構造の小型軽量化並びに製造コストの低減なども容易に図り得るものである。
【０００４】
請求項２に係る発明は、トップリンク後部をヒッチの左右外側に連結させたもので、トップリンク後部を略一直線形に前後方向に延設し得、トップリンク後部の曲げ加工による強度低下によって強度不足になる不具合を容易になくし得、トップリンク構造の小型軽量化並びに製造コストの低減などを容易に図り得るものである。
【０００５】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、乗降ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００６】
また、図中（１５）は１０条植え用の苗載台（１６）並びに１０条分の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にヒッチ台（２３）を設け、該ヒッチ台（２３）をヒッチ機構（２４）に連結させ、トップリンク（２５）及びロワーリンク（２６）を含むリンク機構（２７）後部にヒッチ機構（２４）を取付け、走行車（１）後側にリンク機構（２７）を介して植付部（１５）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００７】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は１０条用の側条施肥機である。
【０００８】
さらに、図２、図３、図４に示す如く、前記運転席（１３）両側の車体カバー（１２）両側に左右補助デッキ（３７）（３７）を固定させ、該デッキ（３７）（３７）前部に前記乗降ステップ（１１）（１１）を固定させ、前記補助デッキ（３７）（３７）後部の機外側に左右サイドデッキ（３８）（３８）を起伏自在かつ脱着自在に連結させると共に、６条用の中央施肥部（３９）と、各２条用の左右施肥部（４０）（４０）とに、前記施肥機（３６）を分割して構成し、右施肥部（４０）機外側に送肥ブロワ（４１）を配設させ、運転席（１３）両側にレバー（２９）（３０）（３１）取付け位置を隔てて左右施肥部（４０）（４０）を収納する一方、６条分の中央苗台（４２）と各２条分の左右苗台（４３）（４３）とに苗載台（１６）を分割して形成し、苗台支点軸（４４）（４４）回りに左右苗台（４３）（４３）を上昇させて中央苗台（４２）上側に折畳み収納させ、また２条分の植付爪（１７）…及びフロート（３５）を備える左右植付ケース（２０）（２０）を中央苗台（４２）後側にケース支点軸（４５）回りに回動させて折畳み収納させるように構成している。
【０００９】
さらに、図３乃至図６に示す如く、前記の左右一対の車体フレーム（３）（３）後端部上側に正面視門形のヒッチフレーム（４６）を固定させ、前低後高に傾斜させて後端部をヒッチフレーム（４６）中間に固定させる左右一対のサブフレーム（４７）（４７）の間に前記昇降シリンダ（２８）を取付けると共に、車体フレーム（３）後端部に支軸（４８）を介して前記ロワーリンク（２６）前部を回転自在に取付け、またヒッチフレーム（４６）中間のブラケット（４９）に支軸（５０）を介してトップリンク（２５）前部を回転自在に取付けるもので、前記ロワーリンク（２６）前端部の本機支持部に基板（５１）を立設させ、基板（５１）上端とロワーリンク（２６）間にリンクフレーム（５２）を側面視三角形に連結させて固定させ、前記三角形頂角の基板（５１）とリンクフレーム（５２）の連結固定部にピン（５３）を介して昇降シリンダ（２８）のピストンロッド（２８ａ）を連結させている。
【００１０】
さらに、図３、図４、図７乃至図９に示す如く、前記ロワーリンク（２６）の後端二叉部間に支軸（５４）を介して前ヒッチ（５５）下端部を連結させ、前ヒッチ（５５）の上下長さ中間に貫通させる支軸（５６）両端部にトップリンク（２５）後端二叉部を連結させると共に、前ヒッチ（５５）下端部に受筒（５７）を一体固定させ、ローリング支点軸（５８）の前半部を受筒（５７）に軸受ベアリング（５９）を介して回転自在に軸支させる一方、後ヒッチ（６０）の下端部に受筒（６１）を一体固定させ、該受筒（６１）にローリング支点軸（５８）の後半部を貫挿固定させる。
【００１１】
また、図１０にも示す如く、前ヒッチ（５５）上端部に受枠（６２）を介して油圧ローリングシリンダ（６３）を取付け、後ヒッチ（６０）上端部で一側に突出させる受フレーム（６４）にローリングシリンダ（６３）のピストン（６５）先端を連結させ、ピストン（６５）の進退動作制御によってローリング支点軸（５９）回りに後ヒッチ（６０）を左右に揺動させると共に、後ヒッチ（６０）下端部にクイックヒッチピン（６６）を固定させ、後ヒッチ（６０）上端部に上向き凹形のクイックヒッチフック（６７）を固定させるもので、前記植付部（１５）の中央植付ケース（２０）前面部にブラケット（６８）を介してヒッチ台（６９）下端部を固定させ、前向き凹形ノッチ（７０）を有するノッチ板（７１）をヒッチ台（６９）下端部前面に固定させ、またヒッチ台（６９）上端部にヒッチ軸（７２）を横架させ、前記クイックヒッチピン（６６）にノッチ（７０）を後方から嵌合させ、前記クイックヒッチフック（６７）にヒッチ軸（７２）を上方から嵌合させ、後ヒッチ（６０）にヒッチ台（６９）を着脱自在に連結させ、前記ローリング支点軸（５９）回りにローリング自在に植付部（１５）を取付け、ローリングシリンダ（６３）制御により植付部（１５）の左右傾斜調節を行うと共に、前記車体フレーム（３）後部と植付ケース（２０）の間に植付ＰＴＯ軸（７３）を着脱自在に架設し、ミッションケース（４）の植付駆動力を植付ケース（２０）にＰＴＯ軸（７３）を介して伝えるように構成している。
【００１２】
また、図８、図９に示す如く、前記ヒッチ台（６９）に支軸（７４）を介してロックボルト（７５）基端を回転自在に連結させると共に、前記クイックヒッチピン（６６）に一対二組のロック板（７６）…を固定させ、一対のロック板（７６）（７６）間に上方からロックボルト（７５）先端部を挿入させ、ロックボルト（７５）先端のナット（７７）をロック板（７６）前面に螺着当接させ、ナット（７７）の締付け固定によってクイックヒッチピン（６６）とノッチ（７０）を嵌合固定させ、後ヒッチ（６０）にヒッチ台（６９）を一体固定させて衝撃などによるヒッチ台（６９）の機械振動を防ぐように構成している。
【００１３】
上記から明らかなように、トップリンク（２５）及びロワーリンク（２６）を介して走行車（１）に植付部（１５）を昇降自在に装設させる田植機において、前記各リンク（２５）（２６）を連結させる前ヒッチ（５５）を設け、前ヒッチ（５５）にローリング支点軸（５９）を介して後ヒッチ（６０）を連結させると共に、後ヒッチ（６０）に着脱自在に連結させるヒッチ台（６９）を植付部（１５）に取付け、前記ヒッチ台（６９）と植付部（１５）の連結強度を容易に向上させ、かつ前後ヒッチ（５５）（６０）間に設けるローリング支点軸（５９）の軸受長さを容易に確保し、ローリング支点軸（５９）及び軸受の許容荷重を容易に増大させ、大型植付部（１５）の支持強度向上並びに支持構造の簡略化などを容易に行えると共に、植付部（１５）の左右傾斜を調節するローリングシリンダ（６３）などのローリング制御機構を走行車（１）側に前後ヒッチ（５５）（６０）を介して取付け、走行車（１）側にローリング制御機構を残した状態で植付部（１５）を取外せるように構成している。
【００１４】
また、クイックヒッチピン（６６）及びクイックヒッチフック（６７）を介して後ヒッチ（６０）にヒッチ台（６９）を着脱自在に係止させるように構成し、前記リンク（２５）（２６）の昇降操作によって後ヒッチ（６０）にヒッチ台（６９）を係脱させる動作を行わせると共に、前ヒッチ（５５）と後ヒッチ（６０）の相対角度を変更するローリング制御用アクチュエータであるローリングシリンダ（６３）を設け、前記ローリングシリンダ（６３）の動力源を走行車（１）側で確保し乍ら植付部（１５）脱着作業性の向上などを容易に行得るもので、前後ヒッチ（５５）（６０）下端部をローリング支点軸（５９）によって連結させると共に、前後ヒッチ（５５）（６０）の各上端部間をローリングシリンダ（６３）によって連結させ、ローリングシリンダ（６３）及び油圧ホースなどを前記リンク（２５）（２６）に取付けた状態で植付部（１５）を脱着できると共に、後ヒッチ（６０）またはヒッチ台（６９）のいずれか一方に設けるロックボルト（７５）をもう一方に着脱自在に固定させ、着脱自在なヒッチ台（６９）の機械振動をロックボルト（７５）の固定によって容易に阻止できるように構成している。
【００１５】
さらに、前記支軸（５０）に前端側を連結させるパイプ形前フレーム（７８）と、前記の前ヒッチ（５５）に中間を貫挿させた支軸（５６）両端に連結させる左右一対の平板形後フレーム（７９）（７９）と、後フレーム（７９）前端部に固定させるモータベース（８０）と、該モータベース（８０）に取付ける電動ピッチングモータ（８１）と、該モータ（８１）の出力軸（８２）に固定させるネジ軸（８３）を、前記トップリンク（２５）に備える。そして、前記ネジ軸（８３）先端をナット体（８４）に螺着挿入させ、前フレーム（７８）後部内孔にナット体（８４）前部を着脱自在にインロー嵌合させ、前フレーム（７８）後部のフランジ（８５）とナット体（８４）前部のフランジ（８６）を着脱自在にボルト（８７）止め固定させ、前記ピッチングモータ（８１）制御によりネジ軸（８３）を正逆転させてトップリンク（２５）前後長を変更し、前後ヒッチ（５５）（６０）及びヒッチ台（６９）及び植付部（１５）を前後に傾斜させ、植付部（１５）の前後傾斜角調節によってフロート（３４）（３５）の接地姿勢を修正すると共に、モータベース（８０）にセンサフレーム（８８）を連設させ、ポテンショメータ形伸縮センサ（８９）をフレーム（８８）に取付け、該センサ（８９）によってトップリンク（２５）長さを検出させるように構成している。
【００１６】
また、後フレーム（７９）（７９）左右外側に軸体（９０）を介して左右バネ座（９１）（９１）を固定させ、左右バネ座（９１）（９１）にテンション調節ボルト（９２）（９２）を介して左右リンクバネ（９３）（９３）後端を連結させると共に、前記支軸（５０）両端部に左右リンクバネ（９３）（９３）前端を連結させ、側面視で各支軸（５０）（５６）を結ぶ直線上にリンクバネ（９３）を張設させ、植付部（１５）重量に抗してトップリンク（２５）を縮少させるモータ（８１）負荷をリンクバネ（９３）のトップリンク（２５）縮少方向の縮少力によって低減させるように構成している。さらに、前記モータベース（８０）両側と支軸（５６）両端部の間に連結させる左右の後フレーム（７９）（７９）を前後方向に略一直線上で延設させ、各フレーム（７９）（７９）を略平行に延長させて植付部（１５）支持強度を確保するように構成している。
【００１７】
上記から明らかなように、トップリンク（２５）及びロワーリンク（２６）を介して植付部（１５）を走行車（１）に装設させると共に、ネジ軸（８３）及びナット部材であるナット体（８４）をトップリンク（２５）に組込んで伸縮自在に形成する田植機において、前記トップリンク（２５）を形成するリンク部材である前フレーム（７８）に前記ナット体（８４）をインロー嵌合させて固定させ、インロー嵌合によってナット体（８４）を前フレーム（７８）に高精度で固定でき、前記ネジ軸（８３）の回転操作力を容易に低減させ、前記ネジ軸（８３）を回転させるピッチングモータ（８１）の小型化並びにピッチングモータ（８１）駆動電流低減などを行えると共に、前フレーム（７８）に対しナット体（８４）を脱着させることによってネジ軸（８３）にナット体（８４）を螺着させた状態で脱着作業を行え、前記ネジ軸（８３）及びナット体（８４）を同一ユニットとして組立分解などを行えて取扱い操作性の向上などを図れ、またトップリンク（２５）構造の小型軽量化並びに製造コストの低減なども図れる。またトップリンク（２５）後部の後フレーム（７９）を前ヒッチ（５５）の左右外側に連結させ、トップリンク（２５）後部の左右の後フレーム（７９）（７９）を略一直線形に前後方向に延設させ、トップリンク（２５）後部の後フレーム（７９）の曲げ加工による強度低下によって強度不足になる不具合をなくし、トップリンク（２５）構造の小型軽量化並びに製造コストの低減などを図れるように構成している。
【００１８】
さらに、図５、図６に示す如く、前記ロワーリンク（２６）前部側面に支点軸（９４）を介して引上アーム（９５）（９６）を回転自在に軸支させ、ターンバックル付長さ調節自在なフレキシブルワイヤ（９７）を介して引上アーム（９５）を車体フレーム（３）後部に連結させ、植付部（１５）両側の左右サイドマーカアーム（図示省略）に引上ワイヤ（９８）を介して引上アーム（９６）を連結させ、ロワーリンク（２６）の上昇によって引上ワイヤ（９８）が引張られてサイドマーカ（図示省略）を上昇させると共に、前記リンクフレーム（５２）側面に支軸（９９）を介してロックアーム（１００）を回転自在に取付け、支軸（９９）を介してロックアーム（１００）に解除アーム（１０１）を固定させ、解除アーム（１０１）に解除ワイヤ（１０２）を連結させ、副変速レバー（３０）の左右切換操作により解除ワイヤ（１０２）を引張り、ロワーリンク（２６）上昇により引上アーム（９６）の係合軸体（１０３）がサイドマーカ引上げ位置に係止されているロックアーム（１００）を解除動作させ、左右いずれか一方の解除操作されたサイドマーカを接地させ、次工程圃場面に次工程植付け軌跡を描かせるもので、植付部（１５）上昇動作によってサイドマーカを自動的に上昇させ、ロックアーム（１００）に軸体（１０３）を係合させてサイドマーカを上昇維持する一方、前記レバー（３０）の植付部（１５）下降操作後のサイドマーカ選択操作によって左右いずれかのロックアーム（１００）を解除動作させてサイドマーカを下降着地させるように構成している。
【００１９】
【発明の効果】
以上実施例から明らかなように、請求項１に係る発明は、トップリンク（２５）及びロワーリンク（２６）を介して植付部（１５）を走行車（１）に装設させると共に、ネジ軸（８３）及びナット部材（８４）をトップリンク（２５）に組込んで伸縮自在に形成する田植機において、前記トップリンク（２５）を形成するリンク部材（７８）に前記ナット部材（８４）をインロー嵌合させて着脱可能に固定させたもので、インロー嵌合によってナット部材（８４）をリンク部材（７８）に高精度で固定でき、前記ネジ軸（８３）の回転操作力を容易に低減でき、前記ネジ軸（８３）を回転させるモータ（８１）の小型化並びにモータ（８１）駆動電流低減などを容易に行うことができると共に、リンク部材（７８）に対しナット部材（８４）を脱着させることによってネジ軸（８３）にナット部材（８４）を螺着させた状態で脱着作業を行うことができ、前記ネジ軸（８３）及びナット部材（８４）を同一ユニットとして組立分解などを行えて取扱い操作性の向上などを容易に図ることができ、またトップリンク（２５）構造の小型軽量化並びに製造コストの低減なども容易に図ることができるものである。
【００２０】
請求項２に係る発明は、トップリンク（２５）後部をヒッチ（５５）の左右外側に連結させたもので、トップリンク（２５）後部を略一直線形に前後方向に延設でき、トップリンク（２５）後部の曲げ加工による強度低下によって強度不足になる不具合を容易になくすことができ、トップリンク（２５）構造の小型軽量化並びに製造コストの低減などを容易に図ることができるものである。
【図面の簡単な説明】
【図１】田植機の全体側面図である。
【図２】同平面図である。
【図３】リンク機構の側面図である。
【図４】同平面説明図である。
【図５】リンク機構前部の側面図である。
【図６】同平面図である。
【図７】リンク機構後部の側面図である。
【図８】同部分側面図である。
【図９】リンク機構後部の正面説明図である。
【図１０】同部分正面図である。
【図１１】トップリンクの平面図である。
【図１２】同側面図である。
【図１３】同拡大側面図である。
【符号の説明】
（１）走行車
（１５）植付部
（２５）トップリンク
（２６）ロワーリンク
（５５）前ヒッチ
（７８）前フレーム（リンク部材）
（８３）ネジ軸
（８４）ナット体（ナット部材）
【図１】
0003742192.tif 000002
【図２】
0003742192.tif 000003
【図３】
0003742192.tif 000004
【図４】
0003742192.tif 000005
【図５】
0003742192.tif 000006
【図６】
0003742192.tif 000007
【図７】
0003742192.tif 000008
【図８】
0003742192.tif 000009
【図９】
0003742192.tif 000010
【図１０】
0003742192.tif 000011
【図１１】
0003742192.tif 000012
【図１２】
0003742192.tif 000013
【図１３】
0003742192.tif 000014